(57)【要約】【課題】歩留まりの悪化が生じる虞の少ない表示装置を提供する。【解決手段】画像を表示することで使用者へ情報を提供する表示器１４と、表示器１４を収容する第一の凹部を有する中ケース１５と、第一の筐体の裏面に配置され、表示器１４の表示を制御する制御部を有する回路基板１６と、第一の凹部を覆い、板状の透光性基材からなる文字板１３と、文字板１３の表示器１４と対向する面に設けられた透光性有色接着剤１３ｃ、透光性有色接着剤１３ｃにより貼付されたモスアイフィルム１３ｄとを備える。【選択図】図２
2019144292.tif 000002
【特許請求の範囲】
【請求項１】
画像を表示することで使用者へ情報を提供する表示器と、
前記表示器を収容する第一の凹部を有する第一の筐体と、
前記第一の筐体の裏面に配置され、前記表示器の表示を制御する制御部を有する回路基板と、
前記第一の凹部を覆い、板状の透光性基材からなるパネルと、
前記パネルの前記表示器と対向する面に設けられた透光性有色接着剤と、
前記透光性有色接着剤により貼付された低反射フィルムとを備える
ことを特徴とする表示装置。
【請求項２】
前記パネルは
前記使用者と対向する面には、低反射処理層を更に設け、
前記表示器と対向する面には、少なくとも前記表示器外側を覆う領域に暗色の印刷層を更に設ける
ことを特徴とする請求項１に記載の表示装置。
【請求項３】
前記表示装置は、
前記第一の筐体を収容する第二の凹部を有する第二の筐体と、
前記第二の凹部を覆い、壁部と透視部を有するカバー部材とを更に備える
ことを特徴とする請求項１または２に記載の表示装置。
【請求項４】
前記パネルは、
前記印刷層に抜き文字状に形成された警告表示部を更に設け、
前記透光性有色接着剤及び前記低反射フィルムは前記警告表示部を覆うように設けられ、
前記回路基板は、
前記警告表示部を透過照明する光源を更に設ける
ことを特徴とする請求項１乃至３のいずれか１項に記載の表示装置。
【請求項５】
前記低反射フィルムはモスアイフィルムである
ことを特徴とする請求項１乃至４いずれか１項に記載の表示装置。
【請求項６】
画像を表示することで使用者へ情報を提供する表示器と、
前記表示器を収容する第一の凹部を有する第一の筐体と、
前記第一の筐体の裏面に配置され、前記表示器の表示を制御する制御部を有する回路基板と、
前記第一の凹部を覆い、板状の透光性基材からなるパネルと、
前記パネルの前記表示器と対向する面に設けられた透光性有色接着剤とを備え、
前記表示器は前記透光性有色接着剤により前記パネルに貼付される
ことを特徴とする表示装置。
【請求項７】
前記パネルは、
前記使用者と対向する面には、低反射処理層を更に設け、
前記表示器と対向する面には、少なくとも前記表示器外側を覆う領域に暗色の印刷層を更に設ける
ことを特徴とする請求項６に記載の表示装置。
【請求項８】
前記表示装置は、
前記第一の筐体を収容する第二の凹部を有する第二の筐体と、
前記第二の凹部を覆い、壁部と透視部を有するカバー部材とを更に備える
ことを特徴とする請求項６または７のいずれか１項に記載の表示装置。
【請求項９】
前記パネルは、
前記印刷層に抜き文字状に形成された警告表示部を更に設け、
前記回路基板は、
前記警告表示部を透過照明する光源を更に設ける
ことを特徴とする請求項６乃至８のいずれか１項に記載の表示装置。
【発明の詳細な説明】
【技術分野】
【０００１】
本発明は、表示装置に関し、例えば、表示器や計器を有し、車両へ搭載される表示装置が好適である。
【背景技術】
【０００２】
従来の表示装置として、例えば特許文献１に記載された表示装置が知られている。特許文献１の表示装置は、第一の表示器（２０）と第二の表示器（１０）と保護パネル部材（８０）を備え、第一の表示器（２０）は透明接着剤（４０）により保護パネル部材（８０）と接着され、第二の表示器（１０）は保護パネル部材（８０）の裏面に貼付された反射抑制部（８３）と対向する位置に載置されている。反射抑制部（８０）としてスモーク印刷層、ＡＲコート、モスアイフィルムが適用できるとしている。
【先行技術文献】
【特許文献】
【０００３】
【特許文献１】特開２０１５−１４８６８０号公報
【発明の概要】
【発明が解決しようとする課題】
【０００４】
しかしながら、特許文献１に記載の表示装置においては、スモーク印刷を保護パネル部材（８０）に施す際に印刷のムラ、ゴミによる歩留まり悪化が生じる虞があった。
本発明の目的とするところは、上述課題に着目し、歩留まりの悪化が生じる虞が少ない表示装置を提供することにある。
【課題を解決するための手段】
【０００５】
上述課題を解決するために、請求項１に記載の表示装置は、画像を表示することで使用者へ情報を提供する表示器と、前記表示器を収容する第一の凹部を有する第一の筐体と、前記第一の筐体の裏面に配置され、前記表示器の表示を制御する制御部を有する回路基板と、前記第一の凹部を覆い、板状の透光性基材からなるパネルと、前記パネルの前記表示器と対向する面に設けられた透光性有色接着剤と、前記透光性有色接着剤により貼付された低反射フィルムとを備えることを特徴とする。
また、請求項７に記載の表示装置は、画像を表示することで使用者へ情報を提供する表示器と、前記表示器を収容する第一の凹部を有する第一の筐体と、前記第一の筐体の裏面に配置され、前記表示器の表示を制御する制御部を有する回路基板と、前記第一の凹部を覆い、板状の透光性基材からなるパネルと、前記パネルの前記表示器と対向する面に設けられた透光性有色接着剤とを備え、前記表示器は前記透光性有色接着剤により前記パネルへと貼付されることを特徴とする。
【発明の効果】
【０００６】
本発明によれば歩留まりが悪化する虞を低減した表示装置を提供することを達する。
【図面の簡単な説明】
【０００７】
【図１】本開示の第一の実施形態の表示装置の外観を示す図。
【図２】図１中のＸ−Ｘ断面図。
【図３】第一の実施形態の表示装置の分解断面図。
【図４】第一の実施形態の文字板１３及び表示器１４の断面図。
【図５】従来の実施形態の文字板１３及び表示器１４の断面図。
【図６】第二の実施形態の表示装置の断面図
【図７】第二の実施形態の文字板１３及び表示器１４の断面図。
【発明を実施するための形態】
【０００８】
以下に、本発明の表示装置を、車両に適用した実施形態として例にあげ、添付図面を用いて説明する。
【０００９】
図１に示すように、表示装置１０は車両１に搭載され、車両１の使用者である運転者の前方のインストルメントパネル（インパネ）に形成されたメータフード２の下方に組み付けられている。また表示装置１０は、表示装置１０の外部から得られた種々の情報を表示し、運転者へ提供する。
また表示装置１０は運転者から視認可能に２つのアナログメータを備える。アナログメータは後述の構成でなり、車両１の速度やエンジン回転数といった車両情報を提供する。また表示装置１０は使用者から見て表示装置１０の中央に表示器１４が視認可能に配置される。表示器１４は後述の構成でなり、表示する画像により車両装備のメンテナンス情報や、経路案内情報、車両情報、運転情報を含む情報を運転者に提供する。
また表示装置１０は、車両装備の異常や状態を報知する警告表示部１０ｄを設ける。
【００１０】
次に、図３を用いて表示装置１０の構成を詳細に説明する。
表示装置１０は、レンズ１１（透視部）、見返し１２（壁部）、文字板１３（パネル）、表示器１４、中ケース１５（第一の筐体）、回路基板１６、下ケース１７（第二の筐体）を備える。
【００１１】
レンズ１１は、透光性の材料からなるが、例えばアクリル樹脂が適用できる。またレンズ１１の運転者と対向する面の形状は、外光や運転者自身の像が運転者へ反射されることがないように、車両上方向にあたる部分がせり出ており、結果として車両下方向を向いた形状を成している。また本開示におけるレンズ１１の運転者と対向する面の形状は車両下方向を向いた形状を成しているとしたが、これは上述の反射を防ぐための形状であるため、少なくとも片側に傾斜していればよい。本開示とは反対に車両上方向を向いた形状でも良い。またフックにより後述する見返し１２に形成された係止部に係止される。
【００１２】
見返し１２は、遮光性の樹脂からなり、例えばタルク粉末を含有するポリプロピレンが適用できる。また見返し１２は、後述する文字板の可視部を規定するような孔状を成す壁部と、レンズ１１に係止される被係止部、後述する下ケース１７を係止する係止部を有する。壁部の形状は、レンズ１１を図に示す通りに係止する目的と、後述する文字板１３が外光に照らされることを防止する目的から、車両上方向にあたる部分がせり出ている。上述の通り、レンズ１１の傾斜はこれに限定されるものではないので、レンズ１１の傾斜に追従するようにせり出ていればよい。
【００１３】
またレンズ１１（透視部）と見返し１２（壁部）とでカバー部材を形成しているが、後述の第二の実施形態のようにレンズ１１のみによりカバー部材を構成し本発明を実施することは可能である。
【００１４】
文字板１３の構成は図４を用いて説明する。
文字板１３は基材１３ａと、印刷層１３ｂと、透光性有色接着剤１３ｃと、モスアイフィルム１３ｄ（低反射フィルム）と、ＡＲ（Anti Reflection）コート１３ｅ（低反射処理層）を設ける。
【００１５】
基材１３ａは板状の透明な材料（透光性基材）、特に樹脂材やガラスで構成しうるが、例えばポリカーボネートの板材が好適である。また基材１３ａは、運転者と対向する面には低反射処理層が設けられ、例えばＡＲコート１３ｅが施されている。ＡＲコートとは、基板よりも屈折率が低い低屈折率膜であって、相対的に屈折率が低い低屈折率層と相対的に屈折率が高い高屈折率層とが交互に積層された誘電体多層膜を施すことで実現される低反射処理層である。その処理方法は例えば、スパッタリング法やＣＶＤ法などでなされる。
【００１６】
印刷層１３ｂは基材１３ａの裏面に塗料が塗布されてなる。主に暗色な塗料が適用され、後述する表示器１４の可視部には塗料が塗られておらず、表示器１４の表示を行わない領域から外側に向かっては塗料が塗られている。また印刷層１３ｂは色が異なる塗料、例えば明色塗料を一部に施す事により、前述の目盛り部１０ａを形成する。また印刷層１３ｂの一部には警告表示部１０ｄが形成されている。警告表示部１０ｄは印刷層１３ｂの所定箇所に抜き文字状に印刷が施されていないことで透光性を持つことで構成される。
【００１７】
透光性有色接着剤１３ｃは着色された光学透明接着剤（Optical Clear Adhesive）である。材料にはウレタン系、シリコン系、アクリル系の樹脂が適用でき、硬化方法には熱硬化法と紫外線硬化法とがある。本開示では例えばアクリル系であり紫外線硬化型の光学透明接着剤を用いる。これらの樹脂材料に顔料を加えて薄膜状に成形することで成る。本開示では例えば黒色と無色の顔料を所定の比率で加えることで有色な透光性接着剤を構成している。この混合比率を変えることで透光率を変更できる。透光率を低下させると消灯時におけるシームレス感の向上を達することができる。
【００１８】
また本開示では図示している通り透光性有色接着剤１３ｃが印刷層１３ｂを覆い、特に警告表示部１０ｄを覆うように設けられ、透光性有色接着剤１３ｃが拡散した光が警告表示部１０ｄを透過照明することで、所定の警告情報を運転者に報知できる。
【００１９】
モスアイフィルム１３ｄは、蛾の目（Moth-eye）の表面構造のように光の波長より短い周期構造を表面に備えるフィルムである。これを透光性物体の表面に貼付すると、フィルムの外界を構成する物質と透光性物体を構成する物質との間に屈折率の差が存在する場合においても、周期構造により擬似的に屈折率が徐変されることで透光性物体の表面での光の反射を抑えることができるフィルムである。モスアイフィルム１３ｄは透光性有色接着剤１３ｃにより文字板１３の最裏面に貼付されている。
【００２０】
また文字板１３は、運転者と対向する面に樹脂製のリング部材１０ｂと指針部１０ｃを有する。指針部１０ｃは図示しない公知の回動部を有する。回動部は例えば後述する制御部１６ｃに接続されるステッピングモータで構成され、車速やエンジン回転数に応じて所定のパルス信号を制御部１６ｃから受信し、回動を行う。この回動に伴い指針部１０ｃも回動し、目盛り部１０ａと指針部１０ｃが表す示度により車両情報を運転者に提供するアナログメータを形成する。
【００２１】
図３に示す表示装置１０の構成の説明に戻る。
表示器１４は画像表示手段からなり、例えばＴＦＴ液晶モジュールが適用できる。表示器１４は後述する制御部１６ｃとＦＰＣ（Flat Printed Cable）にて接続され、制御部１６ｃが送信した画像情報及び輝度情報を受信し、所定の画像更新周期で表示する情報を更新又は維持する。
【００２２】
中ケース１５は遮光性の樹脂材料からなり、例えばタルクを含有するポリプロピレンが適用できる。中ケース１５の形状は表示器１４を収容する凹部と、警告表示部１０ｄを透過照明する光線が通過する孔部を設ける形状を成している。
また中ケース１５は警告表示部１０ｄを透過照明する光線の光路を規定する区画壁を有し、その区画壁のうち表示器１４を収容する第一の凹部と隣接する区画壁のうち文字板１３と接触する端面、区画壁端部１５ａを有する。
【００２３】
回路基板１６は例えば板状のガラスエポキシ材に銅箔の配線パターンが印刷されたプリント基板を適用でき、中ケース１５の裏面（表示器１４を収容する凹部の底面に対する裏面）に配置される。また回路基板１６は運転者と対向する面（表面）の所定箇所に光源１６ｂが設けられ、裏面にはコネクタ１６ａと、制御部１６ｃが設けられ、図示されていないが制御部１６ｃが生成した画像表示信号を表示器１４へ送信するＦＰＣ用コネクタが設けられている。
【００２４】
コネクタ１６ａは基板に露出した端子を樹脂のハウジングで覆われた接続部材である。表示装置１０と、車両１が備える電源と、を接続したり、表示装置１０と、車両１が備える種々のＥＣＵ（Electronic Control Unit）とをＣＡＮ（Controller Area Network）を介して接続するためのコネクタである。
【００２５】
光源１６ｂは回路基板１６に実装された発光体であり、例えば発光ダイオードが適用できる。回路基板１６から供給される電圧により発光し、出射した光線は中ケース１５の孔部を通して警告表示部１０ｄを透過照明する。
【００２６】
制御部１６ｃはプログラムや入力されたデータ、演算経過、演算結果等を保持する記憶部、記憶部に保持された情報に基づいて所定の演算処理を行う演算部、また他機器との接続用インターフェース等を設けたマイクロコンピュータで構成し得る。回路基板１６、コネクタ１６ａを介して表示装置１０の外部に接続された種々の電子機器から車両情報、経路案内情報等を受信し、表示器１４へ表示する画像を生成して表示器１４へ送信したり、アナログメータへその時点でのエンジン回転数や車速に応じた車両情報を送信したりしている。
【００２７】
下ケース１７は遮光性の樹脂材料からなり、文字板１３、表示器１４、中ケース１５、回路基板１６を収容する第二の凹部と、見返し１２に係止されるための被係止部を設け、更にコネクタ１６ａが表示装置１０外部と接続されるための孔部が設ける。
【００２８】
以上の構造物により本開示の表示装置１０は構成され、図２に示すように組み上げられる。
以下に上述の実施形態の主立った効果を示す。
【００２９】
第一に、従来はスモーク印刷を基材の広い範囲に施すことは色ムラを引き起こす虞があったが、透光性接着剤への着色によりスモーク効果を実現することで色ムラの発生を抑制できる。従来のスモーク印刷には例えばスクリーン印刷が用いられるが、スクリーン印刷を施す範囲が広ければ広いほど、インキの均一さ保つことの困難さが増していく。しかし、接着剤に顔料を均一に混合することは比較的容易であるため、色ムラを防止することができる。
【００３０】
第二に、従来はスモーク印刷を広い範囲に施すことはゴミの混入を引き起こす虞があったが、スモーク印刷工程を削減したことでゴミの混入を抑制できた。
【００３１】
第三に、モスアイフィルム１３ｄ（低反射フィルム）の剥離の虞を抑制できる。図５に示すように、従来は基材１３ａの裏面にスモーク印刷１３ｘを施した上から透光性接着剤１３ｙを施すことでモスアイフィルム１３ｄを貼付していたが、本開示ではスモーク印刷１３ｘを設けないため透光性有色接着剤１３ｃにより基材１３ａとモスアイフィルム１３ｄを貼付する構成になっている。
【００３２】
従来のスモーク印刷１３ｘの上から透光性接着剤１３ｙを施す構成では、印刷層１３ｂが基材１３ａから剥離した場合にモスアイフィルム１３ｄも剥離する虞があったが、これにより基材１３ａとモスアイフィルム１３ｄとの間の部材数が減ったために剥離する虞は低減した。
【００３３】
次に本開示の表示装置の第二の実施形態を図示例を用いつつ説明する。なお、上述実施形態と同様の部品構成については同じ符号を記して詳細な説明を省く。
【００３４】
図６に示すように、第二の実施形態の表示装置１０はレンズ（カバー部材）１１、文字板（パネル）１３、表示器１４、中ケース（第一の筐体）１５、回路基板１６、下ケース（第二の筐体）１７を備える。本実施形態のように、見返し１２を排しレンズ１１のみからカバー部材を実現する構成であってもよい。
【００３５】
また、第二の実施形態では表示器１４が文字板１３と接するように備わっている。
【００３６】
図７に示すように、本実施形態ではモスアイフィルム１３ｄを排し、透光性有色接着剤１３ｃの裏面接着面に表示器１４の表示面を接着（オプティカルボンディング）してもよい。これにより組み付け工程数が減り、ゴミ混入の虞は一段と低減される。
【００３７】
なお、本発明の表示装置を上述した実施形態の構成にて例に挙げて説明したが、本発明はこれに限定されるものではなく、他の構成においても、本発明の要旨を逸脱しない範囲において種々の改良、並びに表示の変更が可能なことは勿論である。
例えば、表示器１４としてＴＦＴ液晶モジュールが適用できるとしたが、情報を表示できるディスプレイ装置ならばこれに適用でき、例えば有機ＥＬディスプレイも適用できる。また、低反射フィルムとしてモスアイフィルムを適用した例を提示したが、透光性物体の表面の反射を抑えるフィルムであればよいので、ＡＧ（Anti Glare）フィルムや、ＡＲフィルムでもよい。
【符号の説明】
【００３８】
１  車両
１０  表示装置
１０ａ  目盛り部
１０ｂ  リング部材
１０ｃ  指針部
１０ｄ  警告表示部
１１  レンズ（透視部）
１２  見返し（壁部）
１３  文字板（パネル）
１３ａ  基材
１３ｂ  印刷層
１３ｃ  透光性有色接着剤
１３ｄ  モスアイフィルム（低反射フィルム）
１３ｅ  ＡＲコート（低反射処理層）
１３ｘ  スモーク印刷
１３ｙ  透光性接着剤
１３ｚ  拡散層
１４  表示器
１５  中ケース（第一の筐体）
１５ａ  区画壁端部
１６  回路基板
１６ａ  コネクタ
１６ｂ  光源
１６ｃ  制御部
１７  下ケース（第二の筐体）
２  メータフード
【図１】
2019144292.tif 000003
【図２】
2019144292.tif 000004
【図３】
2019144292.tif 000005
【図４】
2019144292.tif 000006
【図５】
2019144292.tif 000007
【図６】
2019144292.tif 000008
【図７】
2019144292.tif 000009